(57)【要約】  肌水分量取得部（１２０）は、湿度センサ（２００）からユーザの肌水分量を取得する。制御部（１１０）の年齢推定部（１１１）は、肌水分量と年齢との間の相関関係を利用して、肌水分量取得部（１２０）が取得した肌水分量に基づいてユーザの年齢を推定する。制御部（１１０）は、推定した年齢に応じて吸引力の上限を決定する。制御部（１１０）は、ゴミセンサ（１１）から取得したゴミの量に基づいて暫定的な吸引力を決定する。制御部（１１０）は、暫定的な吸引力を上限により制限したものを最終的な吸引力として決定する。制御部（１１０）は、最終的な吸引力に基づいてモータ（１２）を制御する。
2019244299.tif 000002
【特許請求の範囲】
【請求項１】
ユーザの肌水分量を取得する肌水分量取得手段と、
取得した肌水分量に基づいて機器を制御する制御手段と、
を備える制御装置。
【請求項２】
前記制御手段は、肌水分量と年齢との間の相関関係を利用して機器を制御する、
請求項１に記載の制御装置。
【請求項３】
取得した肌水分量に基づいて前記ユーザの年齢を推定する年齢推定手段をさらに備え、
前記制御手段は、推定した前記ユーザの年齢に基づいて機器を制御する、
請求項１または２に記載の制御装置。
【請求項４】
請求項１から３のいずれか１項に記載の制御装置と、
前記制御手段による制御に基づいて動作する機器と、
を備える電気機器。
【請求項５】
前記機器には、ゴミを吸い込む吸引手段が含まれ、
前記制御手段は、取得した肌水分量に基づいて前記吸引手段の吸引力を決定する、
請求項４に記載の電気機器。
【請求項６】
前記機器には、音声を出力する音声出力手段が含まれ、
前記制御手段は、取得した肌水分量に基づいて前記音声出力手段が発する音声の音量を決定する、
請求項４に記載の電気機器。
【請求項７】
前記機器には、映像を出力する映像出力手段が含まれ、
前記制御手段は、取得した肌水分量に基づいて前記映像出力手段に出力される映像の表示設定を決定する、
請求項４に記載の電気機器。
【請求項８】
前記機器には、空調を行う空調ユニットが含まれ、
前記制御手段は、取得した肌水分量に基づいて前記空調ユニットの設定温度を決定する、
請求項４に記載の電気機器。
【請求項９】
前記機器には、被調理物を加熱する加熱手段が含まれ、
前記制御手段は、取得した肌水分量に基づいて前記加熱手段の火力を決定する、
請求項４に記載の電気機器。
【請求項１０】
ユーザの肌水分量を取得し、
取得した肌水分量に基づいて機器を制御する、
制御方法。
【請求項１１】
コンピュータを、
ユーザの肌水分量を取得する肌水分量取得手段、
取得した肌水分量に基づいて機器を制御する制御手段、
として機能させるプログラム。
【発明の詳細な説明】
【技術分野】
【０００１】
本発明は、制御装置、電気機器、制御方法及びプログラムに関する。
【背景技術】
【０００２】
ユーザが機器を使用する際、当該ユーザの年齢に応じて機器を制御する技術が求められている。【０００３】
例えば、特許文献１に開示されたテレビジョン装置は、ユーザがリモコンによって入力した年齢に応じて、映像の輝度及び色温度を補正する。当該テレビジョン装置は、年齢に応じた補正をすることにより、視覚機能が低下した高齢者に適合した映像を表示することができる。
【先行技術文献】
【特許文献】
【０００４】
【特許文献１】特開２００１−２５１６４１号公報
【発明の概要】
【発明が解決しようとする課題】
【０００５】
しかし、特許文献１のテレビジョン装置にて映像を視聴する場合、ユーザは、リモコンによって自己の年齢を入力するという特別な操作をする必要があり、不便である。【０００６】
本発明は、上記の事情に鑑み、ユーザの特別な操作を必要とすることなく、ユーザの年齢に応じた制御をする制御装置等を提供する。
【課題を解決するための手段】
【０００７】
上記の目的を達成するため、本発明に係る制御装置は、
ユーザの肌水分量を取得する肌水分量取得手段と、
取得した肌水分量に基づいて機器を制御する制御手段と、
を備える。
【発明の効果】
【０００８】
肌水分量と年齢との間には相関関係があるので、本発明によれば、ユーザの肌水分量に基づいた制御をすることにより、ユーザの特別な操作を必要とすることなく、ユーザの年齢に応じた制御をすることができる。
【図面の簡単な説明】
【０００９】
【図１】本発明の実施の形態１に係る掃除機の側面図
【図２】本発明の実施の形態１に係る掃除機の機能的構成を示す図
【図３】年齢と肌水分量との相関関係を示す図
【図４】本発明の実施の形態１に係る制御装置のハードウェア構成の一例を示す図
【図５】本発明の実施の形態１に係る掃除機の動作の一例を示すフローチャート
【図６】本発明の実施の形態１に係る掃除機による年齢推定における、肌水分量と推定年齢との対応の一例を示す図
【図７】本発明の実施の形態１に係る掃除機による吸引力の上限の決定における、推定年齢と吸引力の上限との対応の一例を示す図
【図８】本発明の実施の形態１の変形例に係る掃除機による吸引力の上限の決定における、肌水分量と吸引力の上限との対応の一例を示す図
【図９】本発明の実施の形態１の変形例に係る掃除機の動作の一例を示すフローチャート
【図１０Ａ】本発明の実施の形態２に係るテレビジョン装置用のリモコンのオモテ面を示す図
【図１０Ｂ】本発明の実施の形態２に係るテレビジョン装置用のリモコンのウラ面を示す図
【図１１】本発明の実施の形態２に係るテレビジョン装置の機能的構成を示す図
【図１２】本発明の実施の形態２に係るテレビジョン装置用のリモコンによる音量変更の動作の一例を示すフローチャート
【図１３】本発明の実施の形態２に係るテレビジョン装置用のリモコンによる音量変更における、推定年齢と音量の増減値との対応の一例を示す図
【図１４Ａ】本発明の実施の形態３に係る空調装置用のリモコンのオモテ面を示す図
【図１４Ｂ】本発明の実施の形態３に係る空調装置用のリモコンのウラ面を示す図
【図１５】本発明の実施の形態３に係る空調装置の機能的構成を示す図
【図１６】本発明の実施の形態３に係る空調装置用のリモコンによる温度変更の動作の一例を示すフローチャート
【図１７】本発明の実施の形態４に係る調理器の上面図
【図１８】本発明の実施の形態４に係る調理器の機能的構成を示す図
【図１９Ａ】本発明の実施の形態４に係る調理器の表示部に表示される現在の火力の一例を示す図
【図１９Ｂ】本発明の実施の形態４に係る調理器の表示部に表示される確認通知の一例を示す図
【図２０】本発明の実施の形態４に係る調理器による火力変更の動作の一例を示すフローチャート
【図２１】本発明の実施の形態５に係る洗濯機の上面図
【図２２】本発明の実施の形態５に係る洗濯機の機能的構成を示す図
【図２３】本発明の実施の形態５に係る洗濯機の動作の一例を示すフローチャート
【図２４】本発明の実施の形態５に係る洗濯機による音量の決定における、推定年齢と音量との対応の一例を示す図
【発明を実施するための形態】
【００１０】
以下、図面を参照しながら、本発明の実施の形態に係る電気機器について説明する。各図面においては、同一又は同等の部分に同一の符号を付す。
【００１１】
（実施の形態１）
図１及び図２を参照しながら、実施の形態１に係る掃除機１について説明する。掃除機１は、ユーザの年齢を推定し、推定した年齢に応じて吸引力を制限することが可能な掃除機である。推定した年齢に応じて吸引力を制限することにより、筋力の弱い高齢者でも無理なく掃除機１を扱うことができる。掃除機１は、本発明に係る電気機器の一例である。
【００１２】
図１に示すとおり、掃除機１は、ゴミセンサ１１と、モータ１２と、ファン１３と、ダストボックス１４と、制御装置１００と、湿度センサ２００と、を備える。モータ１２は、ファン１３と連結されている。ファン１３は、ダストボックス１４と連結されている。図２に示すとおり、ゴミセンサ１１、モータ１２及び湿度センサ２００は、制御装置１００と接続されている。なお、図１では、接続についての図示を省略している。
【００１３】
ゴミセンサ１１は、吸引されるゴミの量を検出するセンサである。ゴミセンサ１１は、ノズルの吸引口に設けられている。ゴミセンサ１１は、例えば赤外線センサを用いて実現される。吸引口を通過するゴミの量が多いほど赤外線が多く散乱するので、赤外線センサを用いて吸引されるゴミの量を検出することができる。ゴミセンサ１１は、検出したゴミの量を、制御装置１００に出力する。
【００１４】
モータ１２は、制御装置１００の制御に基づいて、連結されているファン１３を回転させる。モータ１２がファン１３を回転させることにより、掃除機１は吸引口からゴミを吸い込むことができる。吸い込んだゴミは、ダストボックス１４に蓄積される。モータ１２は、本発明に係る吸引手段の一例である。
【００１５】
制御装置１００は、ゴミセンサ１１が検出したゴミの量と湿度センサ２００が検出した肌水分量とに基づいてモータ１２を制御する。制御装置１００は、制御部１１０と、肌水分量取得部１２０と、を備える。制御部１１０は、ゴミセンサ１１、モータ１２及び肌水分量取得部１２０と接続されている。肌水分量取得部１２０は、制御部１１０及び湿度センサ２００と接続されている。制御装置１００は、例えば掃除機１内に設けられた基板上に実装される。制御装置１００は、本発明に係る制御装置の一例である。
【００１６】
制御部１１０は、肌水分量取得部１２０から、ユーザの肌水分量を取得する。制御部１１０は、取得した肌水分量に基づいてユーザの年齢を推定する。制御部１１０は、ゴミセンサ１１が検出したゴミの量を取得する。制御部１１０は、推定した年齢及び取得したゴミの量に基づいて吸引力を決定する。制御部１１０は、決定した吸引力に基づいてモータ１２を制御する。制御部１１０は、年齢推定部１１１を備える。制御部１１０は、本発明に係る制御手段の一例である。
【００１７】
年齢推定部１１１は、肌水分量取得部１２０から取得した肌水分量に基づいて、ユーザの年齢を推定する。肌水分量と年齢との間には、図３に示されるとおり、年齢が若いほど肌水分量が多いという相関関係が存在することが知られている。年齢推定部１１１は、この相関関係を利用して、ユーザの肌水分量に基づいてユーザの年齢を推定する。年齢推定部１１１は、本発明に係る年齢推定手段の一例である。
【００１８】
なお、年齢の推定及び吸引力の決定の詳細については、動作の説明の際に併せて説明する。
【００１９】
肌水分量取得部１２０は、湿度センサ２００が検出したユーザの肌水分量を取得する。肌水分量取得部１２０は、取得した肌水分量を制御部１１０に出力する。肌水分量取得部１２０は、本発明に係る肌水分量取得手段の一例である。
【００２０】
湿度センサ２００は、ユーザの肌水分量を検出する。湿度センサ２００は、掃除機１の持ち手部分に設けられている。ユーザが持ち手部分を握ると、ユーザの肌が湿度センサ２００と接触するので、湿度センサ２００はユーザの肌水分量を検出できる。湿度センサ２００は、検出したユーザの肌水分量を肌水分量取得部１２０に出力する。湿度センサ２００として、例えば、静電容量式による湿度センサまたは抵抗式による湿度センサが採用可能である。
【００２１】
制御装置１００は、例えば、図４に示すハードウェア構成によって実装できる。図４に示す制御装置１００は、例えば、マイクロコントローラを用いたコンピュータシステムにより実現される。
【００２２】
制御装置１００は、バス１０００を介して互いに接続された、プロセッサ１００１と、メモリ１００２と、インタフェース１００３と、二次記憶装置１００４と、を備える。
【００２３】
プロセッサ１００１は、例えばCPU（Central Processing Unit: 中央演算装置）である。プロセッサ１００１が、二次記憶装置１００４に記憶された専用プログラムをメモリ１００２に読み込んで実行することにより、制御装置１００の各機能が実現される。
【００２４】
メモリ１００２は、例えば、RAM（Random Access Memory）により構成される主記憶装置である。メモリ１００２は、プロセッサ１００１が二次記憶装置１００４から読み込んだ専用プログラムを記憶する。また、メモリ１００２は、プロセッサ１００１が専用プログラムを実行する際のワークメモリとして機能する。
【００２５】
インタフェース１００３は、例えば、シリアルポート、GPIO（General-Purpose Input/Output: 汎用入出力）などのI/O（Input/Output）ポートである。インタフェース１００３にゴミセンサ１１、モータ１２及び湿度センサ２００が接続される。
【００２６】
二次記憶装置１００４は、例えば、フラッシュメモリである。二次記憶装置１００４は、プロセッサ１００１が実行する専用プログラムを記憶する。
【００２７】
図４に示すハードウェア構成においては、制御装置１００が二次記憶装置１００４を備えている。しかし、これに限らず、二次記憶装置１００４を制御装置１００の外部に設け、インタフェース１００３を介して制御装置１００と二次記憶装置１００４とが接続される形態としてもよい。この形態においては、USBフラッシュドライブ、メモリカードなどのリムーバブルメディアも二次記憶装置１００４として使用可能である。
【００２８】
また、図４に示すハードウェア構成に代えて、ASIC（Application Specific Integrated Circuit: 特定用途向け集積回路）、FPGA（Field Programmable Gate Array）などを用いた専用回路により制御装置１００を構成してもよい。また、図４に示すハードウェア構成において、制御装置１００の機能の一部を、例えばインタフェース１００３に接続された専用回路により実現してもよい。
【００２９】
なお、後述の実施の形態２−５における制御装置１００Ａ−１００Ｄについても、概ね同様のハードウェア構成を採用することができる。
【００３０】
以上、掃除機１の構成について説明した。次に、図５を参照しながら、掃除機１の動作の一例について説明する。図５に示す動作は、掃除機１の起動時に開始される。
【００３１】
掃除機１の制御装置１００は、肌水分量取得部１２０により、湿度センサ２００からユーザの肌水分量を取得する（ステップＳ１０１）。肌水分量取得部１２０は、取得した肌水分量を制御部１１０に出力する。
【００３２】
制御部１１０は、年齢推定部１１１により、肌水分量取得部１２０から取得した肌水分量に基づいてユーザの年齢を推定する（ステップＳ１０２）。上述のとおり、肌水分量と年齢との間には図３に示す相関関係が存在する。したがって、肌水分量と推定年齢とを、例えば図６に示すとおりに対応づけることによって、肌水分量に基づいて年齢を推定できる。年齢推定部１１１は、図６に示す対応関係に基づいてユーザの年齢を推定する。例えば、肌水分量が２７％である場合、年齢推定部１１１は、ユーザの年齢を４０歳代と推定する。
【００３３】
制御部１１０は、年齢推定部１１１が推定した年齢に応じて吸引力の上限を決定する（ステップＳ１０３）。制御部１１０は、例えば、図７に示す対応関係に基づいて吸引力の上限を決定する。例えば、推定年齢が４０歳代である場合、制御部１１０は、吸引力の上限を通常より１０％小さくする。なお、通常の吸引力の上限とは、例えば、モータ１２の最大出力に対応する吸引力である。
【００３４】
制御部１１０は、ゴミセンサ１１から、吸引されるゴミの量を取得する（ステップＳ１０４）。制御部１１０は、吸引されるゴミの量に基づいて、暫定的な吸引力を決定する（ステップＳ１０５）。「暫定的な吸引力」とは、上限を考慮しない場合の吸引力である。吸引されるゴミの量が多い場合、ノズル付近の床面にはゴミが多いと考えられるので、制御部１１０は、暫定的な吸引力を大きくする。吸引されるゴミの量が少ない場合、ノズル付近の床面にはゴミが少ないと考えられるので、制御部１１０は、暫定的な吸引力を小さくする。
【００３５】
制御部１１０は、ステップＳ１０３で決定した吸引力の上限に応じて、最終的な吸引力を決定する（ステップＳ１０６）。ステップＳ１０５で決定した暫定的な吸引力が上限を超えている場合、ステップＳ１０３で決定した吸引力の上限を最終的な吸引力として決定する。暫定的な吸引力が上限を超えていない場合、当該吸引力をそのまま最終的な吸引力として決定する。つまり、暫定的な吸引力を上限により制限したものが最終的な吸引力となる。吸引力を制限することにより、筋力の低下した高齢者にとっても適切な吸引力となる。
【００３６】
制御部１１０は、最終的な吸引力に基づいてモータ１２を制御し（ステップＳ１０７）、ステップＳ１０４からの動作の流れを繰り返す。
【００３７】
以上、実施の形態１に係る掃除機１について説明した。掃除機１によれば、肌水分量に基づいてユーザの年齢を推定し、推定年齢に応じて吸引力を決定してモータ１２を制御する。そのため、吸引力が大きくなりすぎてしまい、筋力の低下した高齢者にとって扱いづらくなってしまうことを防ぐことができる。
【００３８】
また、掃除機１によれば、推定年齢に応じて吸引力を決定しモータ１２を制御するので、ユーザは、スイッチにより吸引力を変更するといった特別な操作をする必要がない。
【００３９】
つまり、掃除機１によれば、肌水分量と年齢との間の相関関係を利用して、ユーザの肌水分量に基づいて吸引力を決定することにより、ユーザの特別な操作を必要とすることなく、ユーザの年齢に応じた制御をすることができる。
【００４０】
また、掃除機１によれば、肌水分量に基づいて吸引力を決定するので、顔情報、指紋情報などのユーザ個人を特定する情報を掃除機１に登録する必要がなく、プライバシーにも優れる。併せて、掃除機１によれば、ユーザ個人を特定する情報を登録及び判定するための構成が不要であり、構成が簡素となる。
【００４１】
（実施の形態１の変形例）
実施の形態１においては、肌水分量に基づいてユーザの年齢を推定し、ユーザの推定年齢に基づいて吸引力の上限を決定した。一方、図６に示す肌水分量と推定年齢との対応関係と、図７に示す推定年齢と吸引力の上限との対応関係とを組み合わせると、図８に示すとおり、肌水分量と吸引力の上限との対応関係を得ることができる。この対応関係は、肌水分量と年齢との間に相関関係が存在することを利用して得られる、ともいえる。
【００４２】
したがって、ユーザの年齢を明示的に推定しなくとも、肌水分量に基づいて吸引力の上限を決定することが可能である。そのため、実施の形態１の変形例として、年齢推定部１１１を省略した掃除機１が考えられる。
【００４３】
当該変形例に係る掃除機１の動作の一例について、図９を参照しながら説明する。図９に示す動作の一例は、図５に示す動作の一例と比較して、ステップＳ１０２及びステップＳ１０３に代えてステップＳ１０２ａが存在する点が異なる。ステップＳ１０４以降の動作については同様であるため説明を省略する。
【００４４】
ステップＳ１０２ａでは、制御部１１０は、肌水分量に応じて、図８に示す対応関係に基づいて吸引力の上限を決定する。つまり、明示的にユーザの年齢を推定することなく、肌水分量に基づいて吸引力の上限を決定する。
【００４５】
図８に示す対応関係は、肌水分量と年齢との間に相関関係が存在することを利用して得られるので、ステップＳ１０２ａの動作は、明示的にユーザの年齢を推定していなくとも、肌水分量と年齢との間に相関関係が存在することを利用して吸引力の上限を決定するものといえる。
【００４６】
したがって、当該変形例に係る掃除機１によれば、実施の形態１の場合と同様に、肌水分量と年齢との間の相関関係を利用して、ユーザの肌水分量に基づいて吸引力を決定することにより、ユーザの特別な操作を必要とすることなく、ユーザの年齢に適した制御をすることができる。
【００４７】
なお、後述の実施の形態２−５についても、当該変形例と同様の技術的思想を適用した変形例を採用可能である。
【００４８】
また、実施の形態１の他の変形例として、以下のものが考えられる。
【００４９】
実施の形態１においては、掃除機１はゴミセンサ１１を備えており、ゴミセンサ１１が検出したゴミの量に応じて暫定的な吸引力が変動する。しかし、掃除機１がゴミセンサ１１を備えず、暫定的な吸引力がゴミの量によらず一定となる変形例も採用可能である。当該変形例においても、暫定的な吸引力として大きな吸引力が設定されている場合、ユーザの年齢に応じて最終的な吸引力が制限されうる。
【００５０】
実施の形態１において、湿度センサ２００は掃除機１の持ち手部分に設けられている。しかし、湿度センサ２００が設けられる場所はこれに限られない。例えば、掃除機１の起動スイッチ上に湿度センサ２００を設けてもよい。
【００５１】
（実施の形態２）
図１０Ａ、図１０Ｂ及び図１１を参照しながら、実施の形態２に係るテレビジョン装置２について説明する。なお、図１０Ａ及び図１０Ｂには、テレビジョン装置２用のリモコン２ａのみが示されている。テレビジョン装置２は、ユーザの年齢を推定し、推定した年齢に応じて音量変更時の音量の変化量を調整することが可能なテレビジョン装置である。例えば、推定した年齢が高いときには音量の変化量を大きくすることにより、聴力の弱い高齢者が音量を変化させるときの操作の手間を軽減できる。テレビジョン装置２は、本発明に係る電気機器の一例である。
【００５２】
テレビジョン装置２は、リモコン２ａと、受像機２ｂと、を備える。リモコン２ａは、音量変更ボタン２１と、通信部２２と、制御装置１００Ａと、湿度センサ２００と、を備える。受像機２ｂは、音声出力部２３を備える。リモコン２ａと受像機２ｂとは、赤外線通信により通信可能である。
【００５３】
音量変更ボタン２１は、音声出力部２３から発せられる音声の音量を変更するためのボタンである。図１０Ａに示すとおり、音量変更ボタン２１は、リモコン２ａのオモテ面に設けられている。音量変更ボタン２１は、音量を増大させるためのボタンと、音量を減少させるためのボタンとの組により構成される。ユーザの操作により音量変更ボタン２１が押されると、音量変更を示す信号が制御装置１００Ａの制御部１１０Ａに出力される。
【００５４】
通信部２２は、制御装置１００Ａの制御に基づいて、調整後の音量の変化量を含む信号を受像機２ｂに送信する。通信部２２は、図１０Ａ及び図１０Ｂに示すとおり、リモコン２ａの先端部に設けられている。通信部２２は、例えば赤外線通信モジュールにより実現される。
【００５５】
制御装置１００Ａは、湿度センサ２００からユーザの肌水分量を取得する。制御装置１００Ａは、取得した肌水分量に基づいて音量の変化量を決定し、通信部２２を介して音量の変化量を受像機２ｂに送信する。制御装置１００Ａは、制御部１１０Ａと、肌水分量取得部１２０と、を備える。肌水分量取得部１２０については、実施の形態１の場合と同様のため、説明を省略する。制御装置１００Ａは、例えばリモコン２ａ内に設けられた基板上に実装される。制御装置１００Ａは、本発明に係る制御装置の一例である。
【００５６】
制御部１１０Ａは、肌水分量取得部１２０から肌水分量を取得し、ユーザの年齢を推定する。制御部１１０Ａは、音量変更ボタン２１から音量変更を示す信号を取得する。制御部１１０Ａは、推定した年齢に基づいて音量の変化量を決定する。制御部１１０Ａは、決定した音量の変化量を、通信部２２を介して受像機２ｂに送信する。制御部１１０Ａは、実施の形態１の場合と同様に、年齢推定部１１１を備える。年齢推定部１１１については、実施の形態１の場合と同様のため、説明を省略する。制御部１１０Ａは、本発明に係る制御手段の一例である。
【００５７】
湿度センサ２００は、図１０Ｂに示すとおり、リモコン２ａのウラ面に設けられている。その他の点については実施の形態１の場合と同様のため、説明を省略する。
【００５８】
受像機２ｂは、リモコン２ａから音声の変化量を受信する。受像機２ｂは、音声出力部２３により、映像に含まれる音声を出力する。音声出力部２３は、例えばスピーカである。受像機２ｂは、リモコン２ａから受信した音量の変化量に基づいて、音声出力部２３から発せられる音声の音量を制御する。音声出力部２３は、本発明に係る音声出力手段の一例である。
【００５９】
以上、テレビジョン装置２の構成について説明した。次に、図１２を参照しながら、テレビジョン装置２用のリモコン２ａによる音量変更の動作の一例について説明する。図１２に示す動作は、リモコン２ａの音量変更ボタン２１が操作されたタイミングで実行される。
【００６０】
リモコン２ａの制御装置１００Ａは、湿度センサ２００からユーザの肌水分量を取得する（ステップＳ２０１）。制御装置１００Ａの制御部１１０Ａは、取得した肌水分量に基づいてユーザの年齢を推定する（ステップＳ２０２）。これらの動作は、図５に示すステップＳ１０１及びステップＳ１０２と同様であるため、説明を省略する。
【００６１】
制御部１１０Ａは、推定した年齢に応じて音量の変化量を決定する（ステップＳ２０３）。制御部１１０Ａは、例えば、図１３に示す対応関係に基づいて音量の変化量を決定する。例えば、推定年齢が７０歳代である場合、制御部１１０Ａは、音量の変化量を通常より３０％大きくする。なお、通常の音量の変化量とは、聴力に難のない者が音量変更ボタン２１を１回押したときの変化量であり、例えば０．５デシベルである。
【００６２】
制御装置１００Ａは、制御部１１０Ａにより、通信部２２を介して決定した音量の変化量を受像機２ｂに送信し（ステップＳ２０４）、音量変更の動作を終了する。受像機２ｂは、受信した音量の変化量に基づいて、音声出力部２３から発せられる音声の音量を変化させる。
【００６３】
以上、実施の形態２に係るテレビジョン装置２について説明した。テレビジョン装置２によれば、ユーザの肌水分量に基づいてユーザの年齢を推定し、推定年齢に応じて音量の変化量を決定し、音声出力部２３の音量を変化させる。そのため、聴力の弱い高齢者が音量を変化させるときの操作の手間を軽減できる。
【００６４】
また、テレビジョン装置２によれば、推定年齢に応じて音量の変化量を決定するので、音量の変化量を調整するための特別な操作が不要である。
【００６５】
つまり、テレビジョン装置２によれば、肌水分量と年齢との間の相関関係を利用して、ユーザの肌水分量に基づいて音量の変化量を決定することにより、ユーザの特別な操作を必要とすることなく、ユーザの年齢に応じた制御をすることができる。
【００６６】
また、テレビジョン装置２によれば、肌水分量に基づいて音量の変化量を決定するので、顔情報、指紋情報などのユーザ個人を特定する情報をテレビジョン装置２に登録する必要がなく、プライバシーにも優れる。併せて、テレビジョン装置２によれば、ユーザ個人を特定する情報を登録及び判定するための構成が不要であり、構成が簡素となる。
【００６７】
（実施の形態２の変形例）
実施の形態２において、リモコン２ａが音量の変化量を決定し、決定した音量の変化量を受像機２ｂに送信する。しかし、リモコン２ａが肌水分量の取得、年齢の推定及び推定年齢の送信を行い、受像機２ｂが推定年齢に基づいて音量の変化量を決定してもよい。あるいは、リモコン２ａが肌水分量の取得及び肌水分量の送信を行い、受像機２ｂが年齢を推定し、推定年齢に基づいて音量の変化量を決定してもよい。
【００６８】
実施の形態２において、湿度センサ２００はリモコン２ａのウラ面に設けられている。しかし、湿度センサ２００が設けられる場所はこれに限られない。例えば、リモコン２ａの音量変更ボタン２１上に湿度センサ２００を設けてもよい。
【００６９】
実施の形態２においては、音量の変化量を肌水分量に基づいて決定した。しかし、肌水分量に基づいて決定するものは、音量の変化量に限られない。例えば、音量の上限値を肌水分量に基づいて決定してもよい。これにより、例えば、認識力の低下した高齢者が過剰に音量を増大させることを防止できる。また、音量以外のものを肌水分量に基づいて決定してもよい。例えば、受像機２ｂの表示部に表示される映像の明るさ、色合いなどの表示設定を肌水分量に基づいて決定してもよい。これにより、視覚機能が低下した高齢者にとって適した映像表示が可能となる。受像機２ｂの表示部は、本発明に係る映像出力手段の一例である。
【００７０】
（実施の形態３）
図１４Ａ、図１４Ｂ及び図１５を参照しながら、実施の形態３に係る空調装置３について説明する。なお、図１４Ａ及び図１４Ｂには、空調装置３用のリモコン３ａのみが示されている。空調装置３は、ユーザの年齢を推定し、推定した年齢に応じて設定温度を制限することが可能な空調装置である。推定した年齢が高いときには設定温度を制限することにより、認識力の弱い高齢者が過剰に設定温度を変更することを防ぐことができる。空調装置３は、本発明に係る電気機器の一例である。
【００７１】
空調装置３は、リモコン３ａと、室内機３ｂと、室外機３ｃと、を備える。リモコン３ａは、温度変更ボタン３１と、温度センサ３２と、通信部３３と、制御装置１００Ｂと、湿度センサ２００と、を備える。リモコン３ａと室内機３ｂとは、赤外線通信により通信可能である。室内機３ｂと室外機３ｃとは、専用の通信線により通信可能に接続されている。
【００７２】
温度変更ボタン３１は、空調装置３の設定温度を変更するためのボタンである。図１４Ａに示すとおり、温度変更ボタン３１はリモコン３ａのオモテ面に設けられている。温度変更ボタン３１は、設定温度を増大させるためのボタンと、設定温度を減少させるためのボタンとの組により構成される。ユーザの操作により温度変更ボタン３１が押されると、設定温度変更を示す信号が制御装置１００Ｂの制御部１１０Ｂに出力される。
【００７３】
温度センサ３２は、リモコン３ａが存在する部屋の室温を検出する。図１４Ｂに示すとおり、温度センサ３２はリモコン３ａのウラ面に設けられている。温度センサ３２は、検出した室温を制御装置１００Ｂの制御部１１０Ｂに出力する。
【００７４】
通信部３３は、制御装置１００Ｂの制御に基づいて、変更後の設定温度を含む信号を室内機３ｂに送信する。通信部３３は、図１４Ａ及び図１４Ｂに示すとおり、リモコン３ａの先端部に設けられている。通信部３３は、例えば赤外線通信モジュールにより実現される。
【００７５】
制御装置１００Ｂは、湿度センサ２００からユーザの肌水分量を取得する。制御装置１００Ｂは、温度センサ３２から室温を取得する。制御装置１００Ｂは、取得した肌水分量及び取得した室温に基づいて設定温度を決定する。決定の前後で設定温度が異なるとき、制御装置１００Ｂは、通信部３３を介して変更後の設定温度を室内機３ｂに送信する。制御装置１００Ｂは、制御部１１０Ｂと、肌水分量取得部１２０と、記憶部１３０Ｂと、を備える。肌水分量取得部１２０については、実施の形態１の場合と同様のため、説明を省略する。制御装置１００Ｂは、例えばリモコン３ａ内に設けられた基板上に実装される。制御装置１００Ｂは、本発明に係る制御装置の一例である。
【００７６】
制御部１１０Ｂは、肌水分量取得部１２０から肌水分量を取得し、ユーザの年齢を推定する。制御部１１０Ｂは、温度センサ３２から室温を取得する。制御部１１０Ｂは、温度変更ボタン３１から設定温度変更を示す信号を取得する。制御部１１０Ｂは、推定した年齢及び取得した室温に基づいて設定温度を決定する。決定の前後で設定温度が異なるとき、制御部１１０Ｂは、変更後の設定温度を、通信部３３を介して室内機３ｂに送信する。制御部１１０Ｂは、実施の形態１の場合と同様に、年齢推定部１１１を備える。年齢推定部１１１については、実施の形態１の場合と同様のため、説明を省略する。制御部１１０Ｂは、本発明に係る制御手段の一例である。
【００７７】
記憶部１３０Ｂには、現在の設定温度が格納される。
【００７８】
湿度センサ２００は、図１４Ｂに示すとおり、リモコン３ａのウラ面に設けられている。その他の点については実施の形態１の場合と同様のため、説明を省略する。
【００７９】
室内機３ｂは、リモコン３ａから変更後の設定温度を受信する。室内機３ｂは、受信した設定温度に基づいて、室外機３ｃと協働して空調を行う。室内機３ｂ及び室外機３ｃは、本発明に係る空調ユニットの一例である。
【００８０】
以上、空調装置３の構成について説明した。次に、図１６を参照しながら、空調装置３用のリモコン３ａによる設定温度変更の動作の一例について説明する。図１６に示す動作は、リモコン３ａの温度変更ボタン３１が操作されたタイミングで実行される。
【００８１】
リモコン３ａの制御装置１００Ｂは、湿度センサ２００からユーザの肌水分量を取得する（ステップＳ３０１）。制御装置１００Ｂの制御部１１０Ｂは、取得した肌水分量に基づいてユーザの年齢を推定する（ステップＳ３０２）。これらの動作は、図５に示すステップＳ１０１及びステップＳ１０２と同様であるため、説明を省略する。
【００８２】
制御部１１０Ｂは、推定年齢が７０歳代以上か否かを判定する（ステップＳ３０３）。推定年齢が７０歳代以上ではない場合（ステップＳ３０３：Ｎｏ）、制御部１１０Ｂは、ステップＳ３０６以降の動作を実行する。
【００８３】
推定年齢が７０歳代以上である場合（ステップＳ３０３：Ｙｅｓ）、制御部１１０Ｂは、温度センサ３２から室温を取得する（ステップＳ３０４）。
【００８４】
制御部１１０Ｂは、変更後の設定温度と取得した室温との差が閾値以上か否かを判定する（ステップＳ３０５）。閾値は、例えば５℃である。ここでいう「変更後の設定温度」とは、記憶部１３０Ｂに格納されている現在の設定温度に対して、温度変更ボタン３１による操作どおりの温度変更を適用した場合における設定温度である。また、ここでいう「差」は、正負を問わない絶対値である。
【００８５】
例えば、現在の設定温度が２７℃であり、室温が２３℃であり、温度変更ボタン３１により設定温度を１℃増大させる操作が行われる場合を考える。この場合、「変更後の設定温度」は２８℃であり、室温との差は５℃である。同様に、現在の設定温度が２２℃であり、室温が２４℃であり、設定温度を１℃減少させる操作が行われる場合は、「変更後の設定温度」は２１℃であり、室温との差は３℃である。
【００８６】
変更後の設定温度と室温との差が閾値以上である場合（ステップＳ３０５：Ｙｅｓ）、制御部１１０Ｂは、設定温度の変更、設定温度の送信のいずれもすることなく設定温度変更の動作を終了する。これは、変更後の設定温度と室温との差が閾値以上である場合には設定温度を制限することに相当する。変更後の設定温度と室温との差が閾値以上ではない場合（ステップＳ３０５：Ｎｏ）、制御部１１０Ｂは、ステップＳ３０６以降の動作を実行する。
【００８７】
ステップＳ３０６で、制御部１１０Ｂは、設定温度を変更する。具体的には、記憶部１３０Ｂに格納されている設定温度に対して、温度変更ボタン３１による操作どおりの温度変更を適用する。そして、制御部１１０Ｂは、通信部３３を介して変更後の設定温度を室内機３ｂに送信し（ステップＳ３０７）、設定温度変更の動作を終了する。
【００８８】
以上、実施の形態３に係る空調装置３について説明した。空調装置３によれば、ユーザの肌水分量に基づいてユーザの年齢を推定し、推定年齢に応じて設定温度を制限する。そのため、認識力の弱い高齢者が過剰に設定温度を変化させることを防止できる。
【００８９】
また、空調装置３によれば、推定年齢に応じて設定温度を制限するので、設定温度を制限するための特別な操作が不要である。
【００９０】
つまり、空調装置３によれば、肌水分量と年齢との間の相関関係を利用して、ユーザの肌水分量に基づいて設定温度を制限することにより、ユーザの特別な操作を必要とすることなく、ユーザの年齢に応じた制御をすることができる。
【００９１】
また、空調装置３によれば、肌水分量に基づいて設定温度を制限するので、顔情報、指紋情報などのユーザ個人を特定する情報を空調装置３に登録する必要がなく、プライバシーにも優れる。併せて、空調装置３によれば、ユーザ個人を特定する情報を登録及び判定するための構成が不要であり、構成が簡素となる。
【００９２】
（実施の形態３の変形例）
実施の形態３において、リモコン３ａが設定温度を決定し、変更後の設定温度を室内機３ｂに送信する。しかし、リモコン３ａが肌水分量の取得、年齢の推定及び推定年齢の送信を行い、室内機３ｂが推定年齢に基づいて設定温度を決定してもよい。あるいは、リモコン３ａが肌水分量の取得及び肌水分量の送信を行い、室内機３ｂが年齢を推定し、推定年齢に基づいて設定温度を決定してもよい。また、室内機３ｂが設定温度を決定する場合、リモコン３ａは温度センサ３２を備えないものであってもよい。なぜなら、室内機３ｂにより室温を取得することができるからである。
【００９３】
実施の形態３において、湿度センサ２００はリモコン３ａのウラ面に設けられている。しかし、湿度センサ２００が設けられる場所はこれに限られない。例えば、リモコン３ａの温度変更ボタン３１上に湿度センサ２００を設けてもよい。
【００９４】
実施の形態３においては、肌水分量に基づいて設定温度を制限した。しかし、肌水分量に基づいて行うことは、設定温度の制限に限られない。例えば、実施の形態２における音量の変化量と同様に、設定温度の変化量を肌水分量に基づいて決定してもよい。
【００９５】
（実施の形態４）
図１７及び図１８を参照しながら、実施の形態４に係る調理器４について説明する。調理器４は、ユーザの年齢を推定し、推定した年齢に応じて火力を制限することが可能な調理器である。推定した年齢が高いときには火力を制限することにより、認識力の弱い高齢者が過剰に火力を高くすることを防ぐことができる。調理器４は、本発明に係る電気機器の一例である。
【００９６】
調理器４は、IH（Induction Heating: 誘導加熱）調理器である。調理器４は、火力変更ボタン４１と、確認ボタン４２と、表示部４３と、加熱コイル４４と、制御装置１００Ｃと、湿度センサ２００と、を備える。
【００９７】
火力変更ボタン４１は、調理器４の火力を変更するためのボタンである。図１７に示すとおり、火力変更ボタン４１は、火力を増大させるためのボタンと、火力を減少させるためのボタンとの組により構成される。ユーザの操作により火力変更ボタン４１が押されると、火力変更を示す信号が制御装置１００Ｃの制御部１１０Ｃに出力される。また、火力変更ボタン４１上には湿度センサ２００が設けられている。したがって、ユーザが火力変更ボタン４１により火力を変更しようとする際に、湿度センサ２００はユーザの肌水分量を検出できる。
【００９８】
確認ボタン４２は、表示部４３にて表示される確認通知に対する確認操作をするためのボタンである。確認通知及び確認操作については後述する。ユーザの操作により確認ボタン４２が押されると、確認操作を示す信号が制御装置１００Ｃの制御部１１０Ｃに出力される。
【００９９】
表示部４３は、制御装置１００Ｃの制御に基づいて、現在の火力を表示する。現在の火力は、例えば図１９Ａに示される形態にて表示される。また、表示部４３は、制御装置１００Ｃの制御に基づいて、後述の確認通知を表示する。確認通知は、例えば図１９Ｂに示される形態にて表示される。表示部４３は、例えば液晶ディスプレイである。
【０１００】
加熱コイル４４は、制御装置１００Ｃの制御に基づいて、トッププレート上に設置される調理器具を電磁誘導により加熱することにより、調理器具内の被調理物を加熱する。加熱コイル４４は、トッププレートの下に設置されている。加熱コイル４４は、本発明に係る加熱手段の一例である。
【０１０１】
制御装置１００Ｃは、湿度センサ２００からユーザの肌水分量を取得する。制御装置１００Ｃは、表示部４３を制御し、表示部４３に現在の火力あるいは確認画面を表示させる。制御装置１００Ｃは、取得した肌水分量に基づいて火力を決定し、決定した火力に基づいて加熱コイル４４を制御する。制御装置１００Ｃは、制御部１１０Ｃと、肌水分量取得部１２０と、記憶部１３０Ｃと、を備える。肌水分量取得部１２０については、実施の形態１の場合と同様のため、説明を省略する。制御装置１００Ｃは、例えば調理器４内に設けられた基板上に実装される。制御装置１００Ｃは、本発明に係る制御装置の一例である。
【０１０２】
制御部１１０Ｃは、肌水分量取得部１２０から肌水分量を取得し、ユーザの年齢を推定する。制御部１１０Ｃは、表示部４３を制御し、表示部４３に現在の火力あるいは確認通知を表示させる。制御部１１０Ｃは、火力変更ボタン４１から火力変更を示す信号を取得する。制御部１１０Ｃは、火力変更ボタン４１から確認操作を示す信号を取得する。制御部１１０Ｃは、推定した年齢及び確認操作の有無に基づいて火力を決定し、決定した火力に基づいて加熱コイル４４を制御する。制御部１１０Ｃは、実施の形態１の場合と同様に、年齢推定部１１１を備える。年齢推定部１１１については、実施の形態１の場合と同様のため、説明を省略する。制御部１１０Ｃは、本発明に係る制御手段の一例である。
【０１０３】
記憶部１３０Ｃには、現在の火力が格納される。
【０１０４】
湿度センサ２００は、上述のとおり、火力変更ボタン４１上に設けられている。その他の点については実施の形態１の場合と同様のため、説明を省略する。
【０１０５】
以上、調理器４の構成について説明した。次に、図２０を参照しながら、調理器４による火力変更の動作の一例について説明する。図２０に示す動作は、火力変更ボタン４１が操作されたタイミングで実行される。
【０１０６】
調理器４の制御装置１００Ｃは、湿度センサ２００からユーザの肌水分量を取得する（ステップＳ４０１）。制御装置１００Ｃの制御部１１０Ｃは、取得した肌水分量に基づいてユーザの年齢を推定する（ステップＳ４０２）。これらの動作は、図５に示すステップＳ１０１及びステップＳ１０２と同様であるため、説明を省略する。
【０１０７】
制御部１１０Ｃは、推定年齢が７０歳代以上か否かを判定する（ステップＳ４０３）。推定年齢が７０歳代以上ではない場合（ステップＳ４０３：Ｎｏ）、制御部１１０Ｃは、ステップＳ４０７以降の動作を実行する。
【０１０８】
推定年齢が７０歳代以上である場合（ステップＳ４０３：Ｙｅｓ）、制御部１１０Ｃは、変更後の火力が閾値以上か否かを判定する（ステップＳ４０４）。閾値は、例えば最大火力の８０％である。ここでいう「変更後の火力」とは、記憶部１３０Ｃに格納されている現在の火力に対して、火力変更ボタン４１による操作どおりの火力変更を適用した場合における火力である。
【０１０９】
変更後の火力が閾値以上ではない場合（ステップＳ４０４：Ｎｏ）、制御部１１０Ｃは、ステップＳ４０７以降の動作を実行する。
【０１１０】
変更後の火力が閾値以上である場合（ステップＳ４０４：Ｙｅｓ）、制御部１１０Ｃは、表示部４３に確認通知を表示させ、確認ボタン４２の操作による確認操作が行われるのを一定時間待機する。（ステップＳ４０５）。一定時間とは、例えば１分間である。制御部１１０Ｃは、一定時間経過後までに確認操作があったか否かを判定する（ステップＳ４０６）。
【０１１１】
確認操作がなかった場合（ステップＳ４０６：Ｎｏ）、制御部１１０Ｃは、火力を変更することなく、火力変更の動作を終了する。これは、高齢者が確認なしに火力を過剰に増大させようとした場合には火力を制限することに相当する。確認操作があった場合（ステップＳ４０６：Ｙｅｓ）、制御部１１０Ｃは、ステップＳ４０７以降の動作を実行する。
【０１１２】
ステップＳ４０７では、制御部１１０Ｃは、記憶部１３０Ｃに格納されている現在の火力に対して、火力変更ボタン４１による操作どおりの火力変更を適用し、変更後の火力に基づいて加熱コイル４４を制御する。そして制御部１１０Ｃは、火力変更の動作を終了する。
【０１１３】
以上、実施の形態４に係る調理器４について説明した。調理器４によれば、ユーザの肌水分量に基づいてユーザの年齢を推定し、推定年齢に応じて火力を制限する。そのため、認識力の弱い高齢者が過剰に火力を増大させることを防止できる。
【０１１４】
また、調理器４によれば、推定年齢に応じて火力を制限するので、火力を制限するための特別な操作が不要である。
【０１１５】
つまり、調理器４によれば、肌水分量と年齢との間の相関関係を利用して、ユーザの肌水分量に基づいて火力を制限することにより、ユーザの特別な操作を必要とすることなく、ユーザの年齢に応じた制御をすることができる。
【０１１６】
また、調理器４によれば、肌水分量に基づいて火力を制限するので、顔情報、指紋情報などのユーザ個人を特定する情報を調理器４に登録する必要がなく、プライバシーにも優れる。併せて、調理器４によれば、ユーザ個人を特定する情報を登録及び判定するための構成が不要であり、構成が簡素となる。
【０１１７】
（実施の形態４の変形例）
実施の形態４において、調理器４はIH調理器である。しかし、IH調理器以外の調理器に対しても本発明は適用可能である。例えば、電子レンジ、電熱線を用いた電気コンロなどの電気調理器に対しても本発明を適用可能である。また、電気回路によりガスの出力を制御するガス調理器に対しても本発明を適用可能である。いずれの調理器も、本発明に係る電気機器の一例である。
【０１１８】
実施の形態４においては、肌水分量に基づいて火力を制限した。しかし、肌水分量に基づいて行うことは、火力の制限に限られない。例えば、実施の形態２における音量の変化量と同様に、火力の変化量を肌水分量に基づいて決定してもよい。
【０１１９】
（実施の形態５）
図２１及び図２２を参照しながら、実施の形態５に係る洗濯機５について説明する。洗濯機５は、ユーザの年齢を推定し、推定した年齢に応じて通知音の音量を調整することが可能な洗濯機である。推定した年齢が高いときには音量を大きくすることにより、聴力の弱い高齢者であっても通知音を聞くことができる。なお、図２１では、洗濯槽を覆う蓋については図示を省略している。
【０１２０】
洗濯機５は、開始ボタン５１と、音声出力部５２と、モータ５３と、パルセータ５４と、制御装置１００Ｄと、湿度センサ２００と、を備える。モータ５３は、パルセータ５４と連結されている。なお、図２１ではモータ５３とパルセータ５４との連結の図示を省略している。
【０１２１】
開始ボタン５１は、洗濯を開始させるためのボタンである。ユーザの操作により開始ボタン５１が押されると、洗濯の開始を示す信号が制御装置１００Ｄの制御部１１０Ｄに出力される。また、開始ボタン５１上には湿度センサ２００が設けられている。したがって、ユーザが開始ボタン５１により洗濯を開始させようとする際に、湿度センサ２００はユーザの肌水分量を検出できる。
【０１２２】
音声出力部５２は、制御装置１００Ｄの制御に基づいて洗濯の完了を示す通知音を発し、洗濯の完了をユーザに通知する。音声出力部５２は、例えば音量を調整可能な圧電ブザーである。音声出力部５２は、本発明に係る音声出力手段の一例である。
【０１２３】
モータ５３は、制御装置１００Ｄの制御に基づいて、連結されているパルセータ５４を回転させる。パルセータ５４が回転することにより、洗濯機５は洗濯をすることができる。モータ５３は、洗濯槽よりも下方に設けられている。パルセータ５４は、洗濯槽の底部に設けられている。
【０１２４】
制御装置１００Ｄは、湿度センサ２００からユーザの肌水分量を取得する。制御装置１００Ｄは、モータ５３を制御し、洗濯を行う。制御装置１００Ｄは、取得した肌水分量に基づいて通知音の音量を決定し、決定した音量に基づいて音声出力部５２を制御する。制御装置１００Ｄは、制御部１１０Ｄと、肌水分量取得部１２０と、を備える。肌水分量取得部１２０については、実施の形態１の場合と同様のため、説明を省略する。制御装置１００Ｄは、例えば洗濯機５内に設けられた基板上に実装される。制御装置１００Ｄは、本発明に係る制御装置の一例である。
【０１２５】
制御部１１０Ｄは、肌水分量取得部１２０から肌水分量を取得し、ユーザの年齢を推定する。制御部１１０Ｄは、開始ボタン５１から洗濯の開始を示す信号を取得する。制御部１１０Ｄは、モータ５３を制御する。制御部１１０Ｄは、推定した年齢に基づいて通知音の音量を決定し、決定した音量に基づいて音声出力部５２を制御する。制御部１１０Ｄは、実施の形態１の場合と同様に、年齢推定部１１１を備える。年齢推定部１１１については、実施の形態１の場合と同様のため、説明を省略する。制御部１１０Ｄは、本発明に係る制御手段の一例である。
【０１２６】
湿度センサ２００は、上述のとおり、開始ボタン５１上に設けられている。その他の点については実施の形態１の場合と同様のため、説明を省略する。
【０１２７】
以上、洗濯機５の構成について説明した。次に、図２３を参照しながら、洗濯機５の動作の一例について説明する。図２３に示す動作は、開始ボタン５１が操作されたタイミングで実行される。
【０１２８】
洗濯機５の制御装置１００Ｄは、湿度センサ２００からユーザの肌水分量を取得する（ステップＳ５０１）。制御装置１００Ｄの制御部１１０Ｄは、取得した肌水分量に基づいてユーザの年齢を推定する（ステップＳ５０２）。これらの動作は、図５に示すステップＳ１０１及びステップＳ１０２と同様であるため、説明を省略する。
【０１２９】
制御部１１０Ｄは、推定した年齢に応じて通知音の音量を決定する（ステップＳ５０３）。制御部１１０Ｄは、例えば、図２４に示す対応関係に基づいて通知音の音量を決定する。例えば、推定年齢が５０歳代である場合、制御部１１０Ｄは、通知音の音量を通常より２０％大きくする。
【０１３０】
制御部１１０Ｄは、モータ５３を制御して、洗濯を行う（ステップＳ５０４）。制御部１１０Ｄは、洗濯が完了したら、ステップＳ５０３にて決定した音量に基づいて音声出力部５２を制御し、通知音を発することによりユーザに洗濯の完了を通知する（ステップＳ５０５）。そして制御部１１０Ｄは、動作を終了する。
【０１３１】
以上、実施の形態５に係る洗濯機５について説明した。洗濯機５によれば、ユーザの肌水分量に基づいてユーザの年齢を推定し、推定年齢に応じて通知音の音量を決定し、音声出力部５２の音量を変化させる。そのため、聴力の弱い高齢者であっても通知音を聞くことができる。
【０１３２】
また、洗濯機５によれば、推定年齢に応じて音量を決定するので、音量を調整するための特別な操作が不要である。
【０１３３】
つまり、洗濯機５によれば、肌水分量と年齢との間の相関関係を利用して、ユーザの肌水分量に基づいて音量を決定することにより、ユーザの特別な操作を必要とすることなく、ユーザの年齢に応じた制御をすることができる。
【０１３４】
また、洗濯機５によれば、肌水分量に基づいて音量を決定するので、顔情報、指紋情報などのユーザ個人を特定する情報を洗濯機５に登録する必要がなく、プライバシーにも優れる。併せて、洗濯機５によれば、ユーザ個人を特定する情報を登録及び判定するための構成が不要であり、構成が簡素となる。
【０１３５】
（実施の形態５の変形例）
実施の形態５において、湿度センサ２００は開始ボタン５１上に設けられている。しかし、湿度センサ２００が設けられる場所は、これに限られない。例えば、開始ボタン５１以外の操作ボタン上に設けられていてもよい。あるいは、洗濯槽を覆う蓋の持ち手部分に設けられていてもよい。
【０１３６】
実施の形態５において、図２１にて示される洗濯機５は縦型洗濯機である。しかし、二槽式洗濯機、ドラム型洗濯機など他の方式による洗濯機であってもよい。例えば、二槽式洗濯機の場合、洗濯完了、脱水完了のそれぞれで通知音を発することとなる。
【０１３７】
上述の各実施の形態における制御装置１００,１００Ａ−１００Ｄで用いられるプログラムは、CD-ROM（Compact Disc Read Only Memory）、DVD（Digital Versatile Disc）、USBフラッシュドライブ、メモリカード、HDD等のコンピュータ読み取り可能な記録媒体に格納して配布することが可能である。そして、かかるプログラムを特定の又は汎用のコンピュータにインストールすることによって、当該コンピュータを制御装置１００,１００Ａ−１００Ｄとして機能させることが可能である。
【０１３８】
また、上述のプログラムをインターネット上の他のサーバが有する記憶装置に格納しておき、当該サーバから上述のプログラムがダウンロードされるようにしてもよい。
【０１３９】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【０１４０】
本発明は、電気機器の制御に好適である。
【符号の説明】
【０１４１】
１  掃除機、２  テレビジョン装置、２ａ  リモコン、２ｂ  受像機、３  空調装置、３ａ  リモコン、３ｂ  室内機、３ｃ  室外機、４  調理器、５  洗濯機、１１  ゴミセンサ、１２  モータ、１３  ファン、１４  ダストボックス、２１  音量変更ボタン、２２  通信部、２３  音声出力部、３１  温度変更ボタン、３２  温度センサ、３３  通信部、４１  火力変更ボタン、４２  確認ボタン、４３  表示部、４４  加熱コイル、５１  開始ボタン、５２  音声出力部、５３  モータ、５４  パルセータ、１００，１００Ａ，１００Ｂ，１００Ｃ，１００Ｄ  制御装置、１１０，１１０Ａ，１１０Ｂ，１１０Ｃ，１１０Ｄ  制御部、１１１  年齢推定部、１２０  肌水分量取得部、１３０Ｂ，１３０Ｃ  記憶部、２００  湿度センサ、１０００  バス、１００１  プロセッサ、１００２  メモリ、１００３  インタフェース、１００４  二次記憶装置。
【図１】
2019244299.tif 000003
【図２】
2019244299.tif 000004
【図３】
2019244299.tif 000005
【図４】
2019244299.tif 000006
【図５】
2019244299.tif 000007
【図６】
2019244299.tif 000008
【図７】
2019244299.tif 000009
【図８】
2019244299.tif 000010
【図９】
2019244299.tif 000011
【図１０Ａ】
2019244299.tif 000012
【図１０Ｂ】
2019244299.tif 000013
【図１１】
2019244299.tif 000014
【図１２】
2019244299.tif 000015
【図１３】
2019244299.tif 000016
【図１４Ａ】
2019244299.tif 000017
【図１４Ｂ】
2019244299.tif 000018
【図１５】
2019244299.tif 000019
【図１６】
2019244299.tif 000020
【図１７】
2019244299.tif 000021
【図１８】
2019244299.tif 000022
【図１９Ａ】
2019244299.tif 000023
【図１９Ｂ】
2019244299.tif 000024
【図２０】
2019244299.tif 000025
【図２１】
2019244299.tif 000026
【図２２】
2019244299.tif 000027
【図２３】
2019244299.tif 000028
【図２４】
2019244299.tif 000029
【手続補正書】
【提出日】令和2年5月28日(2020.5.28)
【手続補正２】
【補正対象書類名】明細書
【補正対象項目名】０００７
【補正方法】変更
【補正の内容】
【０００７】
上記の目的を達成するため、本発明に係る電気機器は、
ユーザの肌水分量を取得する肌水分量取得手段と、
ゴミを吸い込む吸引手段と、
取得した肌水分量に基づいて前記吸引手段の吸引力を決定する制御手段と、
を備える。
【手続補正３】
【補正対象書類名】特許請求の範囲
【補正対象項目名】全文
【補正方法】変更
【補正の内容】
【特許請求の範囲】
【請求項１】
ユーザの肌水分量を取得する肌水分量取得手段と、
ゴミを吸い込む吸引手段と、
取得した肌水分量に基づいて前記吸引手段の吸引力を決定する制御手段と、
を備える電気機器。
【請求項２】
ユーザの肌水分量を取得する肌水分量取得手段と、
音声を出力する音声出力手段と、
前記ユーザの入力に基づいて前記音声出力手段が発する音声の音量を変更する音量変更手段と、
取得した肌水分量に基づいて前記音量変更手段による音量の変化量を決定する制御手段と、
を備える電気機器。
【請求項３】
ユーザの肌水分量を取得する肌水分量取得手段と、
空調を行う空調ユニットと、
前記ユーザの入力に基づいて前記空調ユニットの設定温度を変更する温度変更手段と、
取得した肌水分量に基づいて前記温度変更手段による設定温度の変化量を制限する制御手段と、
を備える電気機器。
【請求項４】
ユーザの肌水分量を取得する肌水分量取得手段と、
被調理物を加熱する加熱手段と、
取得した肌水分量に基づいて前記加熱手段の火力を決定する制御手段と、
を備える電気機器。
【国際調査報告】
2019244299.tif 000030
2019244299.tif 000031
2019244299.tif 000032
2019244299.tif 000033